【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
ストリームデータを分割するようにしたデータ処理装置において、
評価関数に基づきストリームデータの分割候補位置での評価値を算出する評価値算出部と、
上記評価値算出部で算出された評価値と閾値とを比較する比較部と、
上記ストリームデータの所定単位毎に上記分割候補位置を取得する分割候補位置取得部と、
上記比較部による比較結果に基づき上記ストリームデータ上の分割位置を決定する制御部と
を有し、
上記制御部は、
上記比較部による比較の結果、第１の分割候補位置での評価値が上記閾値を超えない場合には、上記分割候補位置取得部により第２の分割候補位置を取得し、
上記第１の分割候補位置での評価値が上記閾値を超える場合には、上記第１の分割候補位置に基づき上記ストリームデータの分割位置を決定するようにした
ことを特徴とするデータ処理装置。
【請求項２】
請求項１に記載のデータ処理装置において、
上記ストリームデータは動画データを含み、該動画データを解析した解析結果が該ストリームデータに関連付けられ、
上記評価値算出部は、上記動画データの上記解析結果に基づき上記評価値を算出するようにした
ことを特徴とするデータ処理装置。
【請求項３】
請求項２に記載のデータ処理装置において、
上記解析結果は、上記動画データに含まれる顔画像の情報であって、
上記評価値算出部は、上記顔画像の情報に基づき上記評価値を算出するようにした
ことを特徴とするデータ処理装置。
【請求項４】
請求項１に記載のデータ処理装置において、
上記ストリームデータは音声データを含み、該音声データを解析した解析結果が該ストリームデータに関連付けられ、
上記評価値算出部は、上記音声データの上記解析結果に基づき上記評価値を算出するようにした
ことを特徴とするデータ処理装置。
【請求項５】
請求項４に記載のデータ処理装置において、
上記評価値算出部は、上記音声データの上記分割候補位置で検出された所定の特性に基づき上記評価値を算出するようにした
ことを特徴とするデータ処理装置。
【請求項６】
請求項１に記載のデータ処理装置において、
上記評価値算出部は、上記ストリームデータの先頭から所定の再生時間を経過した第１の位置と、該ストリームデータの終端から所定の再生時間を遡った第２の位置とに基づき、該ストリームデータの先頭から該第１の位置までの区間と、該第２の位置から該ストリームデータの終端までの区間とに上記分割位置が決定されないように、上記評価値を算出するようにした
ことを特徴とするデータ処理装置。
【請求項７】
請求項１に記載のデータ処理装置において、
上記制御部は、初期の上記分割候補位置から所定以上移動された分割候補位置でも上記評価値が上記閾値を超えるようにならない場合、上記評価値算出部で算出された上記評価値のうち最も大きな評価値が算出された上記分割候補位置に基づき上記分割位置を決定するようにした
ことを特徴とするデータ処理装置。
【請求項８】
ストリームデータを分割するようにしたデータ処理方法において、
評価関数に基づきストリームデータの分割候補位置での評価値を算出する評価値算出のステップと、
上記評価値算出のステップにより算出された評価値と閾値とを比較する比較のステップと、
上記ストリームデータの所定単位毎に上記分割候補位置を取得する分割候補位置取得のステップと、
上記比較のステップによる比較結果に基づき上記ストリームデータ上の分割位置を決定する制御のステップと
を有し、
上記制御のステップは、
上記比較のステップによる比較の結果、第１の分割候補位置での評価値が上記閾値を超えない場合には、上記分割候補位置取得のステップにより第２の分割候補位置を取得し、
上記第１の分割候補位置での評価値が上記閾値を超える場合には、上記第１の分割候補位置に基づき上記ストリームデータの分割位置を決定するようにした
ことを特徴とするデータ処理方法。
【請求項９】
ストリームデータを分割するようにしたデータ処理方法をコンピュータに実行させるデータ処理プログラムにおいて、
上記データ処理方法は、
評価関数に基づきストリームデータの分割候補位置での評価値を算出する評価値算出のステップと、
上記評価値算出のステップにより算出された評価値と閾値とを比較する比較のステップと、
上記ストリームデータの所定単位毎に上記分割候補位置を取得する分割候補位置取得のステップと、
上記比較のステップによる比較結果に基づき上記ストリームデータ上の分割位置を決定する制御のステップと
を有し、
上記制御のステップは、
上記比較のステップによる比較の結果、第１の分割候補位置での評価値が上記閾値を超えない場合には、上記分割候補位置取得のステップにより第２の分割候補位置を取得し、
上記第１の分割候補位置での評価値が上記閾値を超える場合には、上記第１の分割候補位置に基づき上記ストリームデータの分割位置を決定するようにした
ことを特徴とするデータ処理プログラム。
【請求項１０】
記録媒体に記録されたストリームデータを他の記録媒体にダビングするようにした記録装置において、
筐体に対して固定的に用いられる第１の記録媒体からデータを再生する再生部と、
着脱可能な第２の記録媒体にデータを記録する記録部と、
上記第１の記録媒体から再生されたストリームデータに対して上記第２の記録媒体に記録可能なデータ容量の範囲内で分割候補位置を設定し、評価関数に基づき該ストリームデータの該分割候補位置での評価値を算出する評価値算出部と、
上記評価値算出部で算出された評価値と閾値とを比較する比較部と、
上記ストリームデータの所定単位毎に上記分割候補位置を取得する分割候補位置取得部と、
上記比較部による比較結果に基づき上記ストリームデータ上の分割位置を決定し、上記第１の記録媒体に記録される上記ストリームデータを、該分割位置まで上記第２の記録媒体にダビングするように上記再生部および上記記録部を制御する制御部と
を有し、
上記制御部は、
上記比較部による比較の結果、第１の分割候補位置での評価値が上記閾値を超えない場合には、上記分割候補位置取得部により上記ストリームデータ上で該第１の分割候補位置に対して先頭側の第２の分割候補位置を取得し、
上記第１の分割候補位置での評価値が上記閾値を超える場合には、上記第１の分割候補位置に基づき上記ストリームデータの分割位置を決定するようにした
ことを特徴とする記録装置。
【請求項１１】
請求項１０に記載の記録装置において、
上記ストリームデータは動画データを含み、該動画データを解析した解析結果が該ストリームデータに関連付けられて上記第１の記録媒体に記録され、
上記評価値算出部は、上記動画データの上記解析結果に基づき上記評価値を算出するようにした
ことを特徴とする記録装置。
【請求項１２】
請求項１１に記載の記録装置において、
上記解析結果は、上記動画データに含まれる顔画像の情報であって、
上記評価値算出部は、上記顔画像の情報に基づき上記評価値を算出するようにした
ことを特徴とする記録装置。
【請求項１３】
請求項１０に記載の記録装置において、
上記ストリームデータは音声データを含み、該音声データを解析した解析結果が該ストリームデータに関連付けられて上記第１の記録媒体に記録され、
上記評価値算出部は、上記音声データの上記解析結果に基づき上記評価値を算出するようにした
ことを特徴とする記録装置。
【請求項１４】
請求項１３に記載の記録装置において、
上記評価値算出部は、上記音声データの上記分割候補位置で検出された所定の特性に基づき上記評価値を算出するようにした
ことを特徴とする記録装置。
【請求項１５】
請求項１０に記載の記録装置において、
上記評価値算出部は、上記ストリームデータの先頭から所定の再生時間を経過した第１の位置と、該ストリームデータの終端から所定の再生時間を遡った第２の位置とに基づき、該ストリームデータの先頭から該第１の位置までの区間と、該第２の位置から該ストリームデータの終端までの区間とに上記分割位置が決定されないように、上記評価値を算出するようにした
ことを特徴とする記録装置。
【請求項１６】
請求項１０に記載の記録装置において、
上記制御部は、初期の上記分割候補位置から所定以上移動された分割候補位置でも上記評価値が上記閾値を超えるようにならない場合、上記評価値算出部で算出された上記評価値のうち最も大きな評価値が算出された上記分割候補位置に基づき上記分割位置を決定するようにした
ことを特徴とする記録装置。
【請求項１７】
記録媒体に記録されたストリームデータを他の記録媒体にダビングするようにした記録方法において、
筐体に対して固定的に用いられる第１の記録媒体からデータを再生する再生のステップと、
着脱可能な第２の記録媒体にデータを記録する記録のステップと、
上記第１の記録媒体から再生されたストリームデータに対して上記第２の記録媒体に記録可能なデータ容量の範囲内で分割候補位置を設定し、評価関数に基づき該ストリームデータの該分割候補位置での評価値を算出する評価値算出のステップと、
上記評価値算出のステップで算出された評価値と閾値とを比較する比較のステップと、
上記ストリームデータの所定単位毎に上記分割候補位置を取得する分割候補位置取得のステップと、
上記比較のステップによる比較結果に基づき上記ストリームデータ上の分割位置を決定し、上記第１の記録媒体に記録される上記ストリームデータを、該分割位置まで上記第２の記録媒体にダビングするように上記再生のステップおよび上記記録のステップを制御する制御のステップと
を有し、
上記制御のステップは、
上記比較のステップによる比較の結果、第１の分割候補位置での評価値が上記閾値を超えない場合には、上記分割候補位置取得のステップにより上記ストリームデータ上で該第１の分割候補位置に対して先頭側の第２の分割候補位置を取得し、
上記第１の分割候補位置での評価値が上記閾値を超える場合には、上記第１の分割候補位置に基づき上記ストリームデータの分割位置を決定するようにした
ことを特徴とする記録方法。
【請求項１８】
記録媒体に記録されたストリームデータを他の記録媒体にダビングするようにした記録方法をコンピュータに実行させる記録プログラムにおいて、
上記記録方法は、
筐体に対して固定的に用いられる第１の記録媒体からデータを再生する再生のステップと、
着脱可能な第２の記録媒体にデータを記録する記録のステップと、
上記第１の記録媒体から再生されたストリームデータに対して上記第２の記録媒体に記録可能なデータ容量の範囲内で分割候補位置を設定し、評価関数に基づき該ストリームデータの該分割候補位置での評価値を算出する評価値算出のステップと、
上記評価値算出のステップで算出された評価値と閾値とを比較する比較のステップと、
上記ストリームデータの所定単位毎に上記分割候補位置を取得する分割候補位置取得のステップと、
上記比較のステップによる比較結果に基づき上記ストリームデータ上の分割位置を決定し、上記第１の記録媒体に記録される上記ストリームデータを、該分割位置まで上記第２の記録媒体にダビングするように上記再生のステップおよび上記記録のステップを制御する制御のステップと
を有し、
上記制御のステップは、
上記比較のステップによる比較の結果、第１の分割候補位置での評価値が上記閾値を超えない場合には、上記分割候補位置取得のステップにより上記ストリームデータ上で該第１の分割候補位置に対して先頭側の第２の分割候補位置を取得し、
上記第１の分割候補位置での評価値が上記閾値を超える場合には、上記第１の分割候補位置に基づき上記ストリームデータの分割位置を決定するようにした
ことを特徴とする記録プログラム。